(57)【要約】      （修正有）【課題】トレーナー等の指導を受けなくても、歩行障害者が自ら正しい歩行訓練ができ、かつ健常者も自己流の歩き方を矯正し、全身を使った健康増進を図れる歩行矯正器具を提供する。【解決手段】歩行時における右骨盤と左骨盤との前方への各移動量を計測し、その計測結果を視覚的に表示する骨盤移動計測手段１１と、骨盤の回りに巻かれる骨盤固定ベルト１２と、骨盤固定ベルト１２の左側部分に基端部が固定され、かつ左下肢の前方への移動に合わせて、左手で左側の臀部分を引っ張る左側骨盤引き部材１３と、骨盤固定ベルト１２の右側部分に基端部が固定され、かつ右下肢の前方への移動に合わせて、右手で右側の臀部分を引っ張る右側骨盤引き部材１４とを備えた。【選択図】図１
0003206352.tif 000002
【実用新案登録請求の範囲】
【請求項１】
歩行時における右骨盤と左骨盤との前方への各移動量を計測し、その計測結果を視覚的に表示する骨盤移動計測手段と、
骨盤の回りに巻かれる骨盤固定ベルトと、
該骨盤固定ベルトの左側部分に基端部が固定され、かつ左下肢の前方への移動に合わせて、左手で左側の臀部分を引っ張る左側骨盤引き部材と、
前記骨盤固定ベルトの右側部分に基端部が固定され、かつ右下肢の前方への移動に合わせて、右手で右側の臀部分を引っ張る右側骨盤引き部材とを備えたことを特徴とする歩行矯正器具。
【請求項２】
前記骨盤移動計測手段は、
一端部が左手首またはその左手が握った歩行補助具の左グリップに掛止され、かつ他端部が右手首またはその右手が握った前記歩行補助具の右グリップに掛止されるとともに、長さ方向へ所定ピッチで目盛が付いた骨盤移動計測用の帯紐定規と、
骨盤の回りに巻かれた前記骨盤固定ベルトの前面の長さ方向の中間位置に基端部が掛止され、かつ歩行に合わせて前記帯紐定規の目盛を指し示す目盛ポインターとを有していることを特徴とする請求項１に記載の歩行矯正器具。
【請求項３】
前記左側骨盤引き部材の先端部と前記右側骨盤引き部材の先端部とには、対応する手首またはその手が握った歩行補助具の左または右グリップに掛止される一対の掛止部材が配設されたことを特徴とする請求項１または請求項２に記載の歩行矯正器具。
【請求項４】
前記帯紐定規には、正しい歩行法で歩いたときの前記目盛ポインターが指し示す左右の最適位置をあらわす左右一対のターゲット表示部材がスライド自在に配設されたことを特徴とする請求項１〜請求項３のうち、何れか１項に記載の歩行矯正器具。
【請求項５】
前記目盛ポインターは、細長い棒状本体と、該棒状本体の基端部に設けられたクリップと、前記棒状本体の先端部に固定された矢印板とを有したことを特徴とする請求項１〜請求項４のうち、何れか１項に記載の歩行矯正器具。
【考案の詳細な説明】
【技術分野】
【０００１】
この考案は、歩行障害者のリハビリテーションや健常者の正しい歩行トレーニングを補助する歩行矯正器具に関する。
【背景技術】
【０００２】
さて、正しい歩き方とは、骨盤をしっかりと動かしながら歩く骨盤始動の歩行法で、これを習得すればストライドが広がり、片足ずつしっかりと体重が乗り切り安定した歩行が可能になる。
また、その歩行法により骨盤が動くことで脊柱もよく動くようになるため、骨格全体が柔軟になることも期待できる。
このような理由により、この骨盤始動の歩行法が、リハビリテーションやトレーニングの分野で注目されている。
しかしながら、人間は幼少期より自己流の歩き方で歩いてきたため、改めて正しい歩き方を習得するには、専門のトレーナーや理学療法士等の指導を受けなければ難しい。
特に、下肢麻痺、股関節疾患、膝関節疾患等の下肢障害の患者や、筋力が低下した高齢者といった歩行障害の場合には、困難さは増す。
また、健常者であっても、例えばＯ脚、Ｘ脚、猫背、反り腰の人は、その関節（股関節や脊柱の関節）の可動域の狭さや偏りから、正しい歩行の習得は難しいものがある。
【０００３】
従来、単独歩行が困難な高齢者や下肢障害者を対象とした歩行補助の器具として、例えば、体重を支えるハンドル付きのフレームに、３本以上の脚が配設されたものが開発されている（例えば特許文献１）。さらに、脚の下端にキャスターを取り付け、移動性を重視している。使用時には、ハンドルを握って体重をフレームで支え、飛脚歩きのように左右の脚を前へ出しながら歩行する。
しかしながら、従来の歩行補助具は、単独で歩行が困難な高齢者や下肢障害者に対して歩行を支援するだけのものであり、健常者を含めて正しい歩行を誘導するものではなかった。
【先行技術文献】
【特許文献】
【０００４】
【特許文献１】特開２００９−２６１５０９号公報
【考案の概要】
【考案が解決しようとする課題】
【０００５】
本考案者らは、鋭意研究の結果、歩行時における骨盤の動き、特に股関節の動きと機能に注目し、歩行時における骨盤の運動機能の計測を行い、その計測結果に基づき、骨盤回りに巻いた骨盤固定ベルトの左側から延びる左側骨盤引き部材と、そのベルトの右側から延びる右側骨盤引き部材とを、骨盤始動の正しい歩行ができる分だけ左右の手で前方へ交互に引けば、歩行障害者の歩行リハビリテーションと健常者の身体の歪みを直しながらの歩行トレーニングを行えることを知見し、この考案を完成させた。
【０００６】
本考案は、このような従来の問題点に鑑みなされたもので、トレーナー等の指導を受けなくても、歩行障害者が自ら正しい歩行訓練を行うことができ、かつ健常者も自己流の歩き方を矯正し、全身を使った健康増進を図れる歩行矯正器具を提供することを目的としている。
【課題を解決するための手段】
【０００７】
請求項１に記載の本考案は、歩行時における右骨盤と左骨盤との前方への移動量を計測し、その計測結果を視覚的に表示する骨盤移動計測手段と、骨盤の回りに巻かれる骨盤固定ベルトと、該骨盤固定ベルトの左側部分に基端部が固定され、かつ左下肢の前方への移動に合わせて、左手で左側の臀部分を引っ張る左側骨盤引き部材と、前記骨盤固定ベルトの右側部分に基端部が固定され、かつ右下肢の前方への移動に合わせて、右手で右側の臀部分を引っ張る右骨盤引き部材とを備えることにより、飛脚歩行と言われる体の右上半身と右下半身、左上半身と左下半身を左右でそれぞれ一体化させた左右交互に前方に出る歩き方において、上半身のリードにより確実にバランスよく骨盤から一歩が動き出せるようにさせ、骨盤始動の歩き方へと矯正を行う歩行矯正具である。
【０００８】
また、本考案の歩行矯正器具は、骨盤移動計測手段として、一端部が左手首またはその左手が握った歩行補助具の左グリップに掛止され、かつ他端部が右手首またはその右手が握った歩行補助具の右グリップに掛止されるとともに、長さ方向へ所定ピッチで目盛が付いた骨盤移動計測用の帯紐定規と、骨盤の回りに巻かれた骨盤固定ベルトの前面の長さ方向の中間位置に基端部が掛止され、かつ歩行に合わせて帯紐定規の目盛を指し示す目盛ポインターとを有したものである。
【０００９】
さらに、本考案の歩行矯正器具は、左側骨盤引き部材の先端部と右側骨盤引き部材の先端部とに、対応する手首またはその手が握った歩行補助具の左または右グリップに掛止される一対の掛止部材を配設したものである。
各骨盤引き部材の途中部分には、使用者の骨盤からほぼ前腕までの長さに調節できるように、それぞれアジャスターを設けた方が好ましい。これにより、自然な腕の運動によって骨盤が自然に前方へ引っ張られる。
【００１０】
さらにまた、本考案の歩行矯正器具は、帯紐定規に、正しい歩行法で歩いたときの目盛ポインターが指し示す左右の最適位置をあらわす左右一対のターゲット表示部材がスライド自在に配設されたものである。
【００１１】
また、本考案の歩行矯正器具は、目盛ポインターとして、細長い棒状本体と、棒状本体の基端部に設けられたクリップと、棒状本体の先端部に固定された矢印板とを有したものである。
【００１２】
骨盤移動計測手段としては、歩行時における左右の骨盤の前方への移動量を計測して、その計測結果を視覚的に表示するものであれば任意である。例えば、メカニカルな計測器具でも、歩行動作をデジタルカメラ（スマートフォン、タブレットによるカメラを含む）等により撮影し、そのカメラ画像に基づき左右の骨盤の前方への移動量を計測してモニタ表示するものでもよい。
骨盤固定ベルトとしては、例えば、面ファスナにより骨盤回りに着脱自在に構成したものなどを採用することができる。
【００１３】
左側骨盤引き部材と右側骨盤引き部材としては、例えば、各種素材からなる帯や紐などを採用することができる。その他、棒や板などの剛体でもよい。
掛止部材としては、例えば、左右の手首や歩行補助具の左右のグリップに掛止される環状体を採用することができる。この環状体としては、例えば、面ファスナを介して左右の手首や歩行補助具の左右のグリップに着脱自在に巻き付けられる帯または紐などを採用することができる。
帯紐定規は、帯状のものでも、紐状のものでもよい。その素材は限定されない。
帯紐定規の長さは任意であるが、使用者の肩幅くらいが好ましい。
帯紐定規の一端部が掛止されるものは、左手首であっても、その左手が握った歩行補助具のグリップでもよい。また、帯紐定規の他端部が掛止されるものは、右手首であっても、その右手が握った歩行補助具のグリップでもよい。歩行補助具としては、例えば、杖、ポール、交差式歩行補助車などを採用することができる。ここでいう交差式歩行補助車とは、ボディが左右に変形しながら移動する手押し車である。
【００１４】
目盛ポインターの構成および形状は、帯紐定規の目盛を指し示す機能を損なわなければ任意である。
各ターゲット表示部材の素材は任意である。例えば、プラスチック、金属、木、セラミックスなどを採用することができる。
各ターゲット表示部材の形状および大きさも任意である。
目盛ポインターの素材および形状は、棒状本体および矢印板は剛体であれば任意である。
目盛ポインターのクリップとしては、例えば、ピンチ（洗濯バサミ式クリップ）の他、ターンクリップ、差し込み式クリップなどを採用することができる。
【考案の効果】
【００１５】
本考案の歩行矯正器具によれば、使用者は骨盤回りに骨盤固定ベルトを巻き、歩行テストを行う。その際、骨盤移動計測手段を使用して、右骨盤と左骨盤との前方への移動量を求め、視覚的に表示する。次いで、その計測結果と、この結果から得られた使用者固有となる、骨盤の動きの左右のバランスがとれた正しい歩き方を行うために必要な両骨盤の前方への移動量との差をそれぞれ求める。
【００１６】
実際の歩行訓練時には、左右の骨盤において、これらの差（テスト歩行時と理想歩行時とにおける前方への移動量の差）が無くなり骨盤始動の正しい歩行となるように、骨盤固定ベルトの左側骨盤引き部材と右側骨盤引き部材とを左右の手で前方へ交互に牽引し、その動きを繰り返すことで身体に覚え込ませる。
これにより、トレーナー等の指導を受けなくても、歩行障害者が自ら正しい歩行訓練を行うことができるとともに、健常者も自己流の歩き方を骨盤始動の歩行法に矯正し、全身を使った健康増進を図ることができる。
【図面の簡単な説明】
【００１７】
【図１】この考案の実施例１に係る歩行矯正器具の歩行訓練直前の状態を示す正面図である。
【図２】この考案の実施例１に係る歩行矯正器具の一部を構成する骨盤固定ベルトを示す斜視図である。
【図３】この考案の実施例１に係る歩行矯正器具の一部を構成する骨盤移動計測手段を示す斜視図である。
【図４】（ａ）この考案の実施例１に係る歩行矯正器具の使用開始直前の状態を示す平面図である。（ｂ）この考案の実施例１に係る歩行矯正器具の左下肢を踏み出した状態を示す平面図である。（ｃ）この考案の実施例１に係る歩行矯正器具の右下肢を踏み出した状態を示す平面図である。
【図５】この考案の実施例１に係る歩行矯正器具による歩行訓練時の左下肢を踏み出した状態を示す斜視図である。
【図６】この考案の実施例１に係る歩行矯正器具による歩行訓練時の右下肢を踏み出した状態を示す斜視図である。
【考案を実施するための形態】
【００１８】
以下、この考案の実施例を具体的に説明する。
図１において、１０はこの考案の実施例１に係る歩行矯正器具で、この歩行矯正器具１０は、歩行時における右骨盤と左骨盤との前方への移動量を計測し、その計測結果を視覚的に表示する骨盤移動計測手段１１と、骨盤の回りに巻かれる骨盤固定ベルト１２と、骨盤固定ベルト１２の左側部分に基端部が固定され、かつ左下肢の前方への移動に合わせて、左手で左側の臀部分を引っ張る赤色の左側骨盤引きバンド（左側骨盤引き部材）１３と、骨盤固定ベルト１２の右側部分に基端部が固定され、かつ右下肢の前方への移動に合わせて、右手で右側の臀部分を引っ張る青色の右側骨盤引きバンド（右側骨盤引き部材）１４とを備えている。
【００１９】
以下、これらの構成部品を具体的に説明する。まず、骨盤固定ベルト１２を説明する。
図１および図２に示すように、骨盤固定ベルト１２は、長さ方向の中間部に横長な楕円形状を有する幅広部１５ａが配置された長尺なベルト本体１５を有する。ベルト本体１５の長さ方向の一端部の裏面には骨盤固定ベルト１２を骨盤回りに巻き付けた状態で掛止する大判雄型面ファスナ１６が縫着されている。また、ベルト本体１５の長さ方向の他端部の表面には、大判雌型面ファスナ１７が縫着されている。
この骨盤固定ベルト１２は、まず使用者の骨盤の回りにベルト本体１５を巻き付け、大判雄型面ファスナ１６を大判雌型面ファスナ１７に重ね合わせて係止することにより、骨盤固定ベルト１２が使用者の骨盤の回りに装着される。
【００２０】
左側骨盤引きバンド１３および右側骨盤引きバンド１４は、それぞれの基端部が、ベルト本体１５の幅広部１５ａの対応する左側領域または右側領域に縫着されている。左側骨盤引きバンド１３および右側骨盤引きバンド１４は、それぞれの途中部分に設けられたアジャスター１８により長さ調整可能に構成されている。
左側骨盤引きバンド１３および右側骨盤引きバンド１４の各先端部の裏面には、小判雄型面ファスナ１９がそれぞれ縫着されている。また、左側骨盤引きバンド１３および右側骨盤引きバンド１４の各先端部付近の表面には、対応する小判雄方面ファスナ１９から離間して小判雌型面ファスナ２０が縫着されている。左側骨盤引きバンド１３の先端部を折り返して、対応する小判雄型面ファスナ１９と小判雌型面ファスナ２０とを掛止することで、左掛止リング（掛止部材）２１が形成される。一方、右側骨盤引きバンド１４の先端部を折り返して、対応する小判雄型面ファスナ１９と小判雌型面ファスナ２０とを係止することで、右掛止リング（掛止部材）２２が形成される。
【００２１】
なお、左側骨盤引きバンド１３および右側骨盤引きバンド１４は、その長さ方向の中間部分を中間棒２３により構成してもよい（図２の部分拡大図を参照）。この場合、左側骨盤引きバンド１３の先端部および基端部と、左側の中間棒２３の先端部および基端部とは、それぞれ１本の環状紐２４により連結されている。また、左側骨盤引きバンド１３と右側の中間棒２３との連結部分も同様である。この構成により、長尺な左側骨盤引きバンド１３および右側骨盤引きバンド１４のよじれを原因とした肘や脇腹の擦れを防止することができる。
【００２２】
次に、骨盤移動計測手段１１について説明する。
図１および図３に示すように、骨盤移動計測手段１１は、一端部が左手首に着脱自在に取り付けられ、かつ他端部が右手首に着脱自在に取り付けられるとともに、長さ方向へ所定ピッチで目盛Ｍが付いた骨盤移動計測用の紐定規（帯紐定規）２５と、骨盤の回りに巻かれた骨盤固定ベルト１２の前面の長さ方向の中間位置に基端部が掛止され、かつ歩行に合わせて紐定規２５の目盛Ｍを指し示す目盛ポインター２６とからなる。
【００２３】
紐定規２５は使用者の肩幅の長さを有するもので、紐定規２５の左端部には、この部分を折り返して紐止め具２７によって固定することで、左手首に掛止される左紐リング２８が形成されている。また、紐定規２５の右端部にも、同様にその部分を折り返して別の紐止め具２７により固定することで、右手首に掛止される右紐リング２９が形成されている。
紐定規２５には、その長さ方向へ所定ピッチ（ここでは２ｃｍ間隔）で目盛Ｍが付されている。この目盛Ｍは、紐定規２５の長さ方向の中間位置を原点（０）としている。計測時、原点より左方向に目盛Ｍが１つずつ増える毎に値が“−１”ずつ増し、この原点より右方向に目盛Ｍが１つずつ増える毎に、値が“＋１”ずつ増えるものとする。また、そのように紐定規２５の目盛位置に印字してもよい。このように目盛Ｍを付けることで、歩行テスト時および歩行訓練時に身体の歪みが把握し易い。
【００２４】
紐定規２５には、正しい歩行法を実践したときの目盛ポインター２６が指し示す左右の最適位置を表示する一対のターゲット玉（ターゲット表示部材）３０が、紐定規２５の長さ方向にスライド自在に挿着されている。各ターゲット玉３０は、中心を通過する紐通し穴３０ａが形成されたプラスチック製のものである。
目盛ポインター２６は、太いワイヤ（棒状本体）３１と、ワイヤ３１の基端部に設けられたクリップ３２と、ワイヤ３１の先端部に固定された二等辺三角形の小さな矢印板３３とからなる。
【００２５】
次に、図１〜図６を参照して、本考案の実施例１に係る歩行矯正器具１０の使用方法を説明する。ここでは、単独での歩行が困難な高齢者や軽度の下肢障害者に対する歩行訓練を例とするが、健常者の歩行矯正のトレーニングを行う場合も同様である。
まず、実際の歩行訓練の前に歩行テストを行う。
図１に示すように、使用者は骨盤回りに骨盤固定ベルト１２のベルト本体１５を巻き付け、大判雄型面ファスナ１６に大判雌型面ファスナ１７を重ね合わせて骨盤固定ベルト１２を装着する。
【００２６】
次に、装着した骨盤固定ベルト１２の前面のうち、ベルト長さ方向の中間位置（骨盤の幅方向の中心）の上縁部分に目盛ポインター２６のクリップ３２を掛止し、使用者（身体）の前後方向と平行状態でワイヤ３１を前方へ配置する。
一方、肘を曲げて前方へ向けた左上肢の手首に左紐リング２８を挿着し、肘を曲げて前方へ向けた右上肢の手首に右紐リング２９を挿着する。このとき、両手首の間隔は、紐定規２５が所定のテンションで一直線になる間隔である。この間隔は歩行テスト中（歩行訓練中も同じ）常時保持し、またこの紐定規２５は、身体の前面との平行状態を保つものとする。なお、左右の紐リング２８．２９は、左手および右手で握った図示しない２本の杖のグリップ、２本のポールのグリップ、交差式補助車等の左右のグリップに挿着してもよい。
【００２７】
次に、使用者は、あらかじめ目盛ポインター２６の矢印板３３が紐定規２５の目盛Ｍの原点（０）を指していることを確認する（図１および図４（ａ））。
その後、両手首に紐定規２５を掛け渡したまま飛脚歩きする。すなわち、左手と左下肢との前方への同時移動と、右手と右下肢との前方への同時移動とを交互に繰り返す。その際、左手と左下肢との前方への移動に伴って骨盤の左側が前方へ引き出され、この引き出し分だけ目盛ポインター２６が、使用者から見て右方向へ傾く（図４（ｂ）および図５）。このとき、使用者（必要により医者、理学療法士や歩行トレーナー等）は、矢印板３３の先端が指した紐定規２５の右側（プラス側）の目盛Ｍの実測値ａを読み取る。
一方、右手と右下肢との前方への移動に伴って、骨盤の右側が前方へ引き出された分だけ目盛ポインター２６が左方向へ傾くため（図４（ｃ）および図６）、使用者は目盛Ｍの原点を基準とし、矢印板３３の先端が指した紐定規２５の左側（マイナス側）の目盛Ｍの実測値ｂを読み取る。
【００２８】
歩行テストの評価は、第一に骨盤が動いていなければポインターが動かないことにより把握できる。そして骨盤が動いているなら左手と左下肢とを同時に移動させた時の目盛Ｍの実測値ａと、右手と右下肢とを同時に移動させた時の目盛Ｍの実測値ｂとを加算し、その加算値ｃの絶対値が大きければ、歩行時の身体の歪みが大きいと評価し、かつその値が小さければ身体の歪みは小さいと評価する。さらに、その値がゼロであれば歩行時に骨盤が動いていないか、歪みが無いと評価する。詳しくは、この加算値ｃがプラスであれば右下肢の踏み出し量が少ないと評価され、マイナスであれば左下肢の踏み出し量が少ないと評価される。また、踏み出し量の不足加減は、プラスの数値またはマイナスの数値の大きさにより判断される。なお、事前に目盛Ｍの数値が１つ変化する毎に踏み出し量（歩幅）がどれくらい変化するかを計測しておけば、その加算値ｃから、左下肢または右下肢の踏み出しの不足量、ひいては骨盤の左側または右側への移動の不足量を求めることができる。
【００２９】
次に、図１〜図６を参照して、実際の歩行訓練の方法を説明する。
歩行テストで身体の歪みがあると評価された場合、まず、使用者が正しい歩行法で歩いたとき、矢印板３３が指し示す（原点を中心とした）左右の最適位置に、左右のターゲット玉３０をそれぞれスライドさせる（図３）。ここでいう“左右の最適位置”とは、歩行テスト時に他方より前進した方の下肢がそのテスト時に１歩を踏み出した時、矢印板３３が指し示した紐定規２５上の目盛位置（例えば＋４）と、この目盛位置とは原点を中心として点対象となる目盛位置（例えば−４）である。なお、この左右の最適位置は、使用者の状況等により適宜変更することができる。
【００３０】
その後、両手首間に紐定規２５を掛け渡した状態で、左側骨盤引きバンド１３の左掛止リング２１を左手首に巻き付けるとともに、右側骨盤引きバンド１４の右掛止リング２２を右手首に巻き付ける（図１）。このとき、左側骨盤引きバンド１３と右側骨盤引きバンド１４とが色分けされているため、それぞれの識別は容易となる。ただし、この色分けは省いてもよい。
次に、テスト歩行時と同じように、両手首に紐定規２５を掛け渡し、かつ左掛止リング２１および右掛止リング２２を対応する手首に挿着した状態で飛脚歩きを行う（図４）。
【００３１】
その際、左手と左下肢との前方への移動に伴って骨盤の左側が前方へ引き出されるとき、使用者は矢印板３３の先端が右側のターゲット玉３０を指し示すまで、左側骨盤引きバンド１３を左手で前方へ引っ張り、骨盤の動きを補助する（図１および図５）。
一方、右手と右下肢との前方への移動に伴い骨盤の右側が前方へ引き出される際、使用者は矢印板３３の先端が左側のターゲット玉３０を指し示すまで、右手で右側骨盤引きバンド１４を前方へ牽引して補助する（図１および図６）。
【００３２】
以上の歩行動作を繰り返し行って身体に覚え込ませることにより、左右の下肢において、実際の歩行時と理想の歩行時とでの前方への移動量の差が無くなり、歩き方が骨盤始動となった正しい歩行を短期間で習得することができる。その結果、単独での歩行が困難な高齢者や軽度の下肢障害者が、トレーナー等から指導を受けなくても正しい歩行訓練を行うことができる。また、健常者であっても同様の歩行訓練を行うことで、身体の歪みがなくなって自己流の歩き方から骨盤始動の歩行法に矯正することができ、かつ全身を使った健康増進も図ることができる。
【産業上の利用可能性】
【００３３】
この考案の歩行矯正器具は、歩行障害者のリハビリテーションや健常者の正しい歩行トレーニングを補助するときに有用な技術である。
【符号の説明】
【００３４】
１０  歩行矯正器具
１１  骨盤移動計測手段
１２  骨盤固定ベルト
１３  左側骨盤引きバンド（左側骨盤引き部材）
１４  右側骨盤引きバンド（右側骨盤引き部材）
２５  紐状定規（帯紐定規）
２６  目盛ポインター
２８  左紐リング（掛止部材）
２９  右紐リング（掛止部材）
３０  ターゲット玉（ターゲット表示部材）
３１  ワイヤ（棒状本体）
３２  クリップ
３３  矢印板
Ｍ    目盛
【図１】
0003206352.tif 000003
【図２】
0003206352.tif 000004
【図３】
0003206352.tif 000005
【図４】
0003206352.tif 000006
【図５】
0003206352.tif 000007
【図６】
0003206352.tif 000008
【手続補正書】
【提出日】平成28年7月13日(2016.7.13)
【手続補正１】
【補正対象書類名】実用新案登録請求の範囲
【補正対象項目名】全文
【補正方法】変更
【補正の内容】
【実用新案登録請求の範囲】
【請求項１】
歩行時における右骨盤と左骨盤との前方への各移動量を計測し、その計測結果を視覚的に表示する骨盤移動計測手段と、
骨盤の回りに巻かれる骨盤固定ベルトと、
該骨盤固定ベルトの左側部分に基端部が固定され、かつ左下肢の前方への移動に合わせて、左手で左側の臀部分を引っ張る左側骨盤引き部材と、
前記骨盤固定ベルトの右側部分に基端部が固定され、かつ右下肢の前方への移動に合わせて、右手で右側の臀部分を引っ張る右側骨盤引き部材とを備えたことを特徴とする歩行矯正器具。
【請求項２】
前記骨盤移動計測手段は、
一端部が左手首またはその左手が握った歩行補助具の左グリップに掛止され、かつ他端部が右手首またはその右手が握った前記歩行補助具の右グリップに掛止されるとともに、長さ方向へ所定ピッチで目盛が付いた骨盤移動計測用の帯紐定規と、
骨盤の回りに巻かれた前記骨盤固定ベルトの前面の長さ方向の中間位置に基端部が掛止され、かつ歩行に合わせて前記帯紐定規の目盛を指し示す目盛ポインターとを有していることを特徴とする請求項１に記載の歩行矯正器具。
【請求項３】
前記左側骨盤引き部材の先端部と前記右側骨盤引き部材の先端部とには、対応する手首またはその手が握った歩行補助具の左または右グリップに掛止される一対の掛止部材が配設されたことを特徴とする請求項１または請求項２に記載の歩行矯正器具。
【請求項４】
前記骨盤移動計測手段は、
一端部が左手首またはその左手が握った歩行補助具の左グリップに掛止され、かつ他端部が右手首またはその右手が握った前記歩行補助具の右グリップに掛止されるとともに、長さ方向へ所定ピッチで目盛が付いた骨盤移動計測用の帯紐定規と、
骨盤の回りに巻かれた前記骨盤固定ベルトの前面の長さ方向の中間位置に基端部が掛止され、かつ歩行に合わせて前記帯紐定規の目盛を指し示す目盛ポインターとを有し,
前記帯紐定規には、正しい歩行法で歩いたときの前記目盛ポインターが指し示す左右の最適位置をあらわす左右一対のターゲット表示部材がスライド自在に配設されたことを特徴とする請求項１に記載の歩行矯正器具。
【請求項５】
前記骨盤移動計測手段は、
一端部が左手首またはその左手が握った歩行補助具の左グリップに掛止され、かつ他端部が右手首またはその右手が握った前記歩行補助具の右グリップに掛止されるとともに、長さ方向へ所定ピッチで目盛が付いた骨盤移動計測用の帯紐定規と、
骨盤の回りに巻かれた前記骨盤固定ベルトの前面の長さ方向の中間位置に基端部が掛止され、かつ歩行に合わせて前記帯紐定規の目盛を指し示す目盛ポインターとを有し,
前記目盛ポインターは、細長い棒状本体と、該棒状本体の基端部に設けられたクリップと、前記棒状本体の先端部に固定された矢印板とを有したことを特徴とする請求項１に記載の歩行矯正器具。